(57)【要約】      （修正有）【課題】投影方式により使用上の利便性を高めるマルチメディアプレイヤー及びその操作制御方法を提供する。【解決手段】マルチメディアプレイヤー１は多くのマルチメディアオプションを有する画像２１を保存し、画像２１の一部を投影領域３２に定義し、投影領域３２に対応する画像２１の該当部分を投影し、マルチメディアプレイヤー１の移動を感知し、マルチメディアプレイヤー１の移動を、画像２１中の移動投影領域に対応させ、投影方式によりマルチメディアオプションを表示し、且つ、ユーザーは動態感知方式によりマルチメディアオプションを閲覧することで、サーチや選択を行う。【選択図】図１
2011123490.tif 000002
【特許請求の範囲】
【請求項１】
マルチメディアプレイヤーの操作制御方法であって、
前記マルチメディアプレイヤーは、多くのマルチメディアオプションを有する画像を保存し、
前記操作制御方法は、
前記画像の一部を投影領域に定義するステップと、
前記投影領域が対応する前記画像の一部を投影するステップと、
前記マルチメディアプレイヤーの移動を感知するステップと、
前記マルチメディアプレイヤーの移動を、前記画像中の前記移動投影領域に対応させるステップとを備えることを特徴とする、マルチメディアプレイヤーの操作制御方法。
【請求項２】
前記投影領域に操作部を定義するステップと、
前記マルチメディアオプションの内の一つが前記操作部に対応すると、再生コマンドを前記操作部に表示するステップとを備えることを特徴とする、請求項１に記載のマルチメディアプレイヤーの操作制御方法。
【請求項３】
前記マルチメディアプレイヤーは、動作測定感知素子を有することで、前記マルチメディアプレイヤーの移動を感知することを特徴とする、請求項１に記載のマルチメディアプレイヤーの操作制御方法。
【請求項４】
前記マルチメディアプレイヤーは、ＰＤＡ、ｅ−Ｂｏｏｋ、電子辞書、モバイル通信デバイス、ハンドヘルドＰＣ（hand-held PC）、ウルトラモバイルＰＣ（Ultra Mobile PC, UMPC）、ＧＰＳ、ポータブルゲーム機、デジタルカメラ（ＤＳＣ）またはデジタルビデオカメラ（ＤＶ）であることを特徴とする、請求項１に記載のマルチメディアプレイヤーの操作制御方法。
【請求項５】
画像を保存し、前記画像は多数のマルチメディアオプションを有し、
前記画像の一部が投影領域に定義される保存モジュールと、
前記投影領域が対応する前記画像の前記一部を投影する投影モジュールと、
前記マルチメディアプレイヤーの移動に対応して、センサー信号を発生させるセンサーモジュールと、
前記保存モジュール、前記投影モジュール及び前記センサーモジュールにカップリング接続されて、前記センサー信号に対応して前記画像中に前記投影領域を移動させるコントロールモジュールとを備えることを特徴とする、マルチメディアプレイヤー。
【請求項６】
前記投影領域が定義する操作部を有し、前記マルチメディアオプションの内の一つが前記操作部に対応すると、前記コントロールモジュールが前記操作部に再生コマンドを表示することを特徴とする、請求項５に記載のマルチメディアプレイヤー。
【請求項７】
前記センサーモジュールは、動作測定感知素子を有することで、前記マルチメディアプレイヤーの移動に基づき前記センサー信号を発生させることを特徴とする、請求項５に記載のマルチメディアプレイヤー。
【請求項８】
前記マルチメディアプレイヤーは、ＰＤＡ、ｅ−ＢBｏｏｋ、電子辞書、モバイル通信デバイス、ハンドヘルドＰＣ（hand-held PC）、ウルトラモバイルＰＣ（Ultra Mobile PC, UMPC）、ＧＰＳ、ポータブルゲーム機、デジタルカメラ（ＤＳＣ）またはデジタルビデオカメラ（ＤＶ）であることを特徴とする、請求項５に記載のマルチメディアプレイヤー。
【発明の詳細な説明】
【技術分野】
【０００１】
本発明は、再生装置及びその操作制御方法に関し、特に、マルチメディアプレイヤー及びその操作制御方法に関する。
【背景技術】
【０００２】
コミュニケーション効率を高めると同時に、表示スクリーンの制限を打破するために、大きいサイズの画面を簡単に投射できるプロジェクタの使用がオフィスや家庭内で普及し、多くの人を対象にした観賞及び視聴に提供されている。しかしながら、現行のプロジェクタは、投影の目的で使用されるのみである。言い換えれば、投影コンテンツを変更したい場合、ほとんどがリモコンまたはプロジェクタに接続された電子デバイスによってコントロールされるため、使用上の不便が生じる。また、現行のプロジェクタの多くは、体積が大きいため持ち運びが不便である。
【０００３】
また、プロジェクタのポータブル機能を高めるために、マイクロプロジェクタが開発され、プロジェクタを各種電子製品（例えば、携帯電話またはＰＤＡ等）に接続させることで、使用や形態に利便性をもたらした。しかしながら、現行のマイクロプロジェクタの大部分は投影機能を有するのみである。
【０００４】
さらに、近年、センサー技術がますます進み、温度センサー、湿度センサー、電流センサーまたは画像センサー等に止まらず、人体または物体の移動する方向及び位置を感知する動態感知技術も開発されている。
【発明の開示】
【発明が解決しようとする課題】
【０００５】
したがって、本発明は、投影方式によりマルチメディアのオプションコンテンツを投射する他、動態感知方式により、投影モジュールが投影するコンテンツを閲覧並びにコントロールすることで、使用上の利便性を高めるマルチメディアプレイヤー及びその操作制御方法を提供することを課題とする。
【課題を解決するための手段】
【０００６】
上記課題を解決するために、本発明は、投影方式によりマルチメディアのオプションコンテンツを投射する他、動態感知方式により、投影モジュールが投影するコンテンツを閲覧並びにコントロールすることで、使用上の利便性を高めるマルチメディアプレイヤー及びその操作制御方法を提供することを目的とする。
【０００７】
上記目的を達成するために、本発明のマルチメディアプレイヤー及びその操作制御方法は、マルチメディアプレイヤーが多くのマルチメディアオプションを有する画像を保存する。操作制御方法は、以下のステップを備える。画像の一部を投影領域に定義する。投影領域に対応する画像の該当部分を投影する。マルチメディアプレイヤーの移動を感知する。マルチメディアプレイヤーの移動を、画像中の移動投影領域に対応させる。
【０００８】
本発明の実施例において、操作制御方法は、さらに以下のステップを備える。投影領域に操作部を定義する。前記マルチメディアオプションの内の一つが操作部に対応すると、操作部に再生コマンドを表示する。
【０００９】
上記目的を達成するために、本発明のマルチメディアプレイヤーは、保存モジュール、投影モジュール、センサーモジュール及びコントロールモジュールを備える。保存モジュールは、画像を保存する。前記画像は多くのマルチメディアオプションを有する。画像の一部が投影領域に定義される。投影モジュールは、投影領域が対応する画像の該当部分を投影する。センサーモジュールは、マルチメディアプレイヤーの移動に対応して、センサー信号を発生させる。コントロールモジュールが保存モジュール、投影モジュール及びセンサーモジュールにカップリング接続されて、コントロールモジュールは、センサー信号に対応して、画像中に投影領域を移動させる。
【００１０】
本発明の実施例において、投影領域は操作部を定義する。前記マルチメディアオプションの内の一つが操作部に対応すれば、コントロールモジュールは操作部に再生コマンドを表示する。
【００１１】
このように、本発明のマルチメディアプレイヤー及びその操作制御方法は、マルチメディアプレイヤーの投影モジュールを介して、保存モジュールに保存された画像を投影することで投影領域を発生させる。この内、画像は多くのマルチメディアオプションを有する。センサーモジュールを介して、マルチメディアプレイヤーの移動方向及び距離を動態感知してセンサー信号を発生させる。コントロールモジュールは、センサー信号に基づき、投影領域における一部の画像の変更をコントロールする。言い換えれば、ユーザーは、直接、マルチメディアプレイヤーを移動させて、閲覧し、投影モジュールをコントロールして画像のコンテンツを投影することができるということである。
【００１２】
したがって、本発明は、投影方式によって画像を表示することで、画像の表現形式がさらに活発になり趣向性を高めると同時に、環境の美観を損ねることなく、センサーモジュールによってマルチメディアプレイヤーの移動を感知し、直感方式によってマルチメディアプレイヤーを操作することができることにより使用上の利便性を高める。
【発明の効果】
【００１３】
本発明は、投影方式によって画像を表示することで、画像の表現形式がさらに活発になり趣向性を高めると同時に、環境の美観を損ねることなく、センサーモジュールによってマルチメディアプレイヤーの移動を感知し、直感方式によってマルチメディアプレイヤーを操作することができることにより使用上の利便性を高める。
【発明を実施するための最良の形態】
【００１４】
以下、図を参照しながら、本発明の好適な実施例におけるマルチメディアプレイヤー及びその操作制御方法について説明する。
図１は、本発明の好適な実施例におけるマルチメディアプレイヤーを示した図である。マルチメディアプレイヤー１は、保存モジュール２、投影モジュール３、センサーモジュール４及びコントロールモジュール５を備える。この内、コントロールモジュール５と、保存モジュール２、投影モジュール３及びセンサーモジュール４とは、カップリング接続される。本実施例におけるカップリング接続は、直接的または間接的な接続を指し、その接続は、電気的接続及び/または信号の発信と受信を含む。本実施例のマルチメディアプレイヤー１は、ＰＤＡ、ｅ−Ｂｏｏｋ、電子辞書、モバイル通信デバイス、ハンドヘルドＰＣ（hand-held PC）、ウルトラモバイルＰＣ（Ultra Mobile PC, UMPC）、ＧＰＳ、ポータブルゲーム機、デジタルカメラ（ＤＳＣ）またはデジタルビデオカメラ（ＤＶ）等である。
【００１５】
同時に、図１及び図２を参照しながら説明する。図２は、本発明の好適な実施例におけるマルチメディアプレイヤーの使用状態を示した図である。保存モジュール２は、画像２１を保存し、画像２１は多数のマルチメディアオプション２１１を有する。画像２１の一部は、投影領域３２を定義する。前記マルチメディアオプション２１１は、例えば、音楽データまたは画像データ等のマルチメディアデータである。この内、画像データは、例えば、静態画像（例えば、画像または写真であるが、これに限るものではない）、または動態画像（例えば、映画）で、マルチメディアオプション２１１は、ユーザーが自ら設定するフォルダまたはデータ等も可能である。また、各マルチメディアオプション２１１は、音楽データまたは画像データ等に対応して、対応するアイコン（図示されない）を有する。例えば、音楽ＣＤのジャケット、映画のポスター、画像または写真等である。
【００１６】
本実施例の画像２１のサイズ及び形状は、特に限定や規範はなく、設計者またはユーザーの好みによって設定または変更することが可能である。また、画像２１のサイズは、マルチメディアオプション２１１の数に応じて決定できる。さらに、図２において示されている画像２１の範囲は、画像２１が有するサイズの範囲を表示するもので、実際に投影されるものではなく、ユーザーが見られる範囲は投影領域３２が含む範囲である。
【００１７】
投影モジュール３は、例えば、マイクロプロジェクタ３１を有し、ユーザーが投影モジュール３を用いて、周囲の環境（例えば、壁面、板状物またはその他の環境）において、投影領域３２が対応する画像の該当する部分を投影する。さらに、詳しく述べると、投影モジュール３は、画像２１の一部分を投射し、投影領域３２内において、ユーザーが観賞、操作するということである。本実施例において、投影領域３２は円形を例とするが、これに限るものではなく、投影領域３２は、矩形、方形またはその他の形状も可能である。
【００１８】
センサーモジュール４は、マルチメディアプレイヤー１の移動に対応してセンサー信号４１を発生させる。この内、センサーモジュール４は、例えば、動作測定感知素子（図示されない）を有し、動作測定感知素子は、マルチメディアプレイヤー１の移動方向及び/または距離を感知して、センサー信号４１を発生させる。すなわち、動作測定感知素子は、マルチメディアプレイヤー１の移動方向に基づくか、または、動作測定感知素子は、マルチメディアプレイヤー１の移動距離に基づくか、または、動作測定感知素子は、マルチメディアプレイヤー1の移動方向及び距離に基づくかによって、センサー信号４１を発生させる。
【００１９】
コントロールモジュール５は、センサー信号４１に基づき、センサー信号４１に対応して、画像２１中に投影領域３２を移動させる。すなわち、マルチメディアプレイヤー１の移動に伴い、投影モジュール３が対応して、画像２１の異なる部分を投影するということである。
【００２０】
さらに詳しく述べると、ユーザーは、マルチメディアプレイヤー１を手に持ち、投影モジュール３を介して、一部の画像２１を周囲の環境に投影し、投影領域３２内に一部の画像２１を表示する。投影領域３２内にも一部のマルチメディアオプション２１１を表示するか、マルチメディアオプション２１１を表示する。したがって、ユーザーが投影領域３２において、選択したマルチメディアオプション２１１が見られないとき、ユーザーは、直接、マルチメディアプレイヤー１を移動させて、マルチメディアオプション２１１をサーチすることができる。センサーモジュール４は、マルチメディアプレイヤー１の移動方向及び/または距離に基づき、センサー信号４１を発生させる。コントロールモジュール５は、センサー信号４１に基づき投影モジュール３をコントロールして、投影領域３２において投影される一部の画像２１を変更する。
【００２１】
図２に示したように、ユーザーがマルチメディアプレイヤー１を右上の方向に移動させたとき、投影領域３２内は、画像２１が動かないことで、投影領域３２がマルチメディアプレイヤー１の移動方向及び/または距離に対応して、移動後の画像２１に対応するコンテンツを表示する。画像２１が対応する左下の方向への移動も可能である。したがって、ユーザーは、画像２１の右上方のマルチメディアオプション２１１をサーチして、マルチメディアオプション２１１が完全に投影領域３２内にあるとき、または、マルチメディアオプション２１１の大部分が投影領域３２内にあるとき、または、マルチメディアオプション２１１が投影領域３２のちょうど中央にあるとき、マルチメディアオプション２１１を選択して、操作する。
【００２２】
したがって、本実施例のマルチメディアプレイヤー１は、投影方式によって画像２１及びその他のマルチメディアオプション２１１を表示する他、ユーザーが直接移動させる方式によってマルチメディアプレイヤー１を操作して、ユーザーがさらに直感的な方式で操作マルチメディアプレイヤー１を操作することにより、使用の際の利便性を高める。
【００２３】
図３を参照しながら説明する。図３は、本発明の好適な実施例におけるマルチメディアプレイヤーの他の態様を示した図である。本実施例の投影領域３２内には操作部３３が具備される。操作部３３は、例えば、投影領域３２の真ん中に位置するが、これに限られるものではない。操作部３３のアイコンの表示状態及び形状には制限がなく、マルチメディアプレイヤー１ａに内蔵されるか、または、ユーザーが自ら設定（例えば、ソフトウェアのバージョンアップにより）することも可能である。また、操作部３３のアイコンを表示しないことも可能である。すなわち、投影領域３２は、操作部３３のアイコンを表示しないが、操作部３３を有するということである。
【００２４】
図４は、本実施例のマルチメディアプレイヤーの使用状態を示した図である。ユーザーは、マルチメディアプレイヤー１ａを手に持ち、右上の方向に移動させ、投影領域３２が右上の方向に移動したとき、この内の一つのマルチメディアオプション２１１は、ちょうど操作部３３に位置するか、または、前記マルチメディアオプション２１１の大部分が操作部３３に位置するとき、投影領域３２は再生コマンド３４を操作部３３及び/または前記マルチメディアオプション２１１上に表示する。マルチメディアオプション２１１がユーザーの選択するマルチメディアオプション２１１であるとき、ユーザーは、マルチメディアプレイヤー１ａ上のボタンにタッチすることで、前記マルチメディアオプション２１１を選択することができる。
【００２５】
図５は、本発明の好適な実施例におけるマルチメディアプレイヤーの他の態様を示した図である。本実施例のマルチメディアプレイヤー１ｂは、さらに、タッチコントロールモジュール６を備える。タッチコントロールモジュール６は、コントロールモジュール５にカップリング接続される。タッチコントロールモジュール６は、タッチコントロールパネルを有し、タッチコントロールモジュール６は、ユーザーの操作、コントロールによって発生したタッチコントロール信号を受ける。言い換えれば、ユーザーは、タッチコントロールパネル上に文字を書いたり、落書きを写真に撮ったり、落書きしたりすることができ、タッチコントロールモジュール６は、ユーザーがタッチコントロールパネルに描いた文字、落書きの写真、落書きの絵に基づいて、タッチコントロールパネルに表示するということである。また、コントロールモジュール５は、タッチコントロールパネルが表示する画面を、投影モジュール３によって周囲の環境上に投影する。
【００２６】
図６は、本発明の好適な実施例におけるマルチメディアプレイヤーの操作制御方法の流れを示したフローチャートである。本実施例のマルチメディアプレイヤーの操作制御方法は、例えば、図１に示したようなマルチメディアプレイヤー１であり、マルチメディアプレイヤーの操作制御方法は、順に、ステップＳ０１からステップＳ０４を含む。
【００２７】
図１から図４に示したように、ステップＳ０１は、画像２１の一部分を投影領域３２に定義する。ステップＳ０２は、投影領域３２が対応する画像２１の該当部分を投影し、投影領域３２に選択したマルチメディアオプション２１１が見られないとき、直接、マルチメディアプレイヤー１を移動させて、投影表示した部分の画像２１コンテンツもそれに伴って変化する。ステップＳ０３は、マルチメディアプレイヤー１の移動を感知し、センサーモジュール４はマルチメディアプレイヤー１の移動方向及び/または距離を感知して、センサー信号４１を発生させる。ステップＳ０４は、マルチメディアプレイヤー１の移動に対応して、画像２１中に投影領域３２を移動させ、コントロールモジュール５は、センサー信号４１に基づいてセンサー信号４１に対応して、投影モジュール３をコントロールして投影領域３２における部分画像２１を投影する。
【００２８】
また、本実施例のマルチメディアプレイヤーの操作制御方法は、図３に示したようなマルチメディアプレイヤー１ａの応用も可能である。操作制御方法はさらに、ステップＳ０５及びステップＳ０６を含むが、これに限られるものではない。ステップＳ０５は、投影領域３２に操作部３３を定義する。それは、投影領域３２に位置するマルチメディアオプション２１１を操作する。ステップＳ０６は、前記マルチメディアオプション２１１の内の一つが操作部３３に対応するとき、操作部３３に再生コマンド３４を表示する。このとき、マルチメディアプレイヤー１ａ上のボタンをタッチコントロールによって、前記マルチメディアオプション２１１を選択することができる。
【００２９】
本実施例におけるマルチメディアプレイヤーの操作制御方法は、すでに図１〜図４の実施例において示されているマルチメディアプレイヤー１、１ａ中に詳述されているため、ここでは再述しない。
【００３０】
このように、本発明のマルチメディアプレイヤー及びその操作制御方法は、マルチメディアプレイヤーの投影モジュールを介して保存モジュールに保存されている画像を投影することで、投影領域を発生させる。この内、画像は、多数のマルチメディアオプションを有する。センサーモジュールがマルチメディアプレイヤーの移動方向及び距離を動態感知してセンサー信号を発生させることで、コントロールモジュールが、センサー信号に基づき、投影領域の部分画像をコントロールして変化させる。言い換えれば、ユーザーは、直接マルチメディアプレイヤーを移動させることにより、投影モジュールが投影する画像のコンテンツを閲覧並びにコントロールするということである。
【００３１】
したがって、本発明は、投影方式によって画像を表示することで、画像の表示方式がさらに活発で趣向性を高めると同ときに、環境の美観を損ねることもない。さらに、センサーモジュールを介してマルチメディアプレイヤーの移動を感知することで、ユーザーが直感的な方式によってマルチメディアプレイヤーを操作することができて、使用の利便性を高める。
【００３２】
以上、本発明の実施例を図面を参照して詳述してきたが、具体的な構成は、これらの実施例に限られるものではなく、本発明の要旨を逸脱しない範囲の設計変更などがあっても、本発明に含まれる。
【図面の簡単な説明】
【００３３】
【図１】本発明の好適な実施例におけるマルチメディアプレイヤーを示した図である。
【図２】本発明の好適な実施例におけるマルチメディアプレイヤーの使用状態を示した図である。
【図３】本発明の好適な実施例におけるマルチメディアプレイヤーの他の態様を示した図である。
【図４】本発明の実施例におけるマルチメディアプレイヤーの使用状態を示した図である。
【図５】本発明の好適な実施例におけるマルチメディアプレイヤーのさらに他の態様を示した図である。
【図６】本発明の好適な実施例におけるマルチメディアプレイヤーの操作の流れを示したフローチャートである。
【符号の説明】
【００３４】
１、１ａ、１ｂ  マルチメディアプレイヤー
２  保存モジュール
２１  画像
２１１  マルチメディアオプション
３  投影モジュール
３１  マイクロプロジェクタ
３２  投影領域
３３  操作部
３４  再生コマンド
４    センサーモジュール
４１  センサー信号
５  コントロールモジュール
６  タッチコントロールモジュール
Ｓ０１〜Ｓ０６  ステップ
【図１】
2011123490.tif 000003
【図２】
2011123490.tif 000004
【図３】
2011123490.tif 000005
【図４】
2011123490.tif 000006
【図５】
2011123490.tif 000007
【図６】
2011123490.tif 000008